(57)【要約】　　　（修正有）【課題】閂の移動距離を十分に確保したまま電磁石を小型化し、消費電力を最小に抑え、更にテンキーの操作内容を他人に見られ難くした横型テンキー式電子錠システムを提供する。【解決手段】本発明の横型テンキー式電子錠システムは、電磁石により吸着又は反発され永久磁石によりラッチされスプリングにより閂方向に付勢されているプランジャーと、スプリングによりプランジャー方向に付勢されている閂と、前記閂方向にスプリングで付勢されている受け部と、ロック解除信号を受信するための無線受信機と、前記無線受信機の電源を所定の作動開始信号が入力されたときに所定時間だけＯＮさせるための電源制御部と、前記作動開始信号を入力するためのボタンと、前記無線受信機からの入力に基づいて前記閂を移動させるロック制御部と、複数個のキーを側面又は下面に備えた入力装置とで構成した。【選択図】　　図１
2004068528.tif 000002
【特許請求の範囲】
【請求項１】
電磁石と、前記電磁石により駆動され所定の力のスプリングが装着されているプランジャーと、前記電磁石と前記プランジャーとの間の位置に配置された永久磁石と、前記プランジャーと軸方向に沿って対向するように前記プランジャーの前記永久磁石と反対側の位置に備えられた閂であって前記プランジャーに装着されたスプリングよりも力の弱いスプリングが装着されている閂と、を備えた電気錠であって、
前記プランジャーは、（１）電磁石の吸引力により前記閂から離れる方向に駆動されて前記永久磁石の吸引保持領域まで移動したときは、その閂側の端部が、前記閂のプランジャー側端部と所定の距離だけ離れた位置で永久磁石に吸着保持され、（２）電磁石の反発力により前記閂方向に駆動されて前記永久磁石の吸引保持領域の外側に移動したときは、自らに装着されたスプリングにより前記閂方向に付勢されて前記閂を押しながら前記閂のプランジャーと反対側のロック用端部を前記永久磁石から遠ざかるロック位置まで移動させ、（３）前記電磁石にも前記永久磁石にも吸着されていないときは、前記永久磁石の吸引保持領域の外側の領域で、自らに装着されたスプリングにより前記閂方向に付勢されて前記閂を押しながら前記閂を前記ロック位置に保持すると共に、前記閂のロック用端部をロック解除位置に押し下げる物体又は外力の有無及び前記プランジャーと閂にそれぞれ装着されたスプリングの力により、前記閂のロック用端部の前記ロック位置と前記永久磁石に近づくロック解除位置との間の往復移動に連動して移動可能となっており、
前記閂は、（１）前記プランジャーが前記電磁石又は永久磁石に吸着されたときは、前記閂に装着されたスプリングの力により、そのロック用端部が前記ロック解除位置に移動すると共に、そのプランジャー側端部が前記永久磁石の吸引保持領域の外側の位置であって前記吸着されたプランジャーの端部から所定の距離だけ離れた位置まで移動し、（２）前記プランジャーが電磁石の反発力により前記閂方向に駆動されて前記永久磁石の吸引保持領域の外側に移動したときは、そのロック用端部が、前記プランジャーに装着されたスプリングの力により前記プランジャーに押されて前記ロック位置まで移動し、（３）前記プランジャーが前記電磁石又は永久磁石に吸着されていないときは、そのロック用端部が、前記閂のロック用端部をロック解除位置に押し下げる物体又は外力の有無及び前記プランジャーと閂にそれぞれ装着されたスプリングの力により、前記ロック位置とロック解除位置との間を往復移動可能となっている、ことを特徴とする電気錠。
【請求項２】
請求項１の電気錠において、さらに、前記閂が掛けられる受け部には、前記閂が前記ロック位置とロック解除位置との間を移動するときに摺動可能な摺動面を有する摺動部と、この摺動部を前記閂に近づく方向に付勢するスプリングと、を備えたことを特徴とする電気錠。
【請求項３】
請求項１又は２の電気錠を備えた遠隔操作式電子錠システムであって、
ユーザーが屋内から無線送信するロック解除信号を受信するための無線受信機と、
前記無線受信機の電源を、通常はＯＦＦのままに維持し、所定の作動開始信号が入力されたときに所定時間だけＯＮさせるための電源制御部と、
前記電源制御部に前記作動開始信号を入力するためのボタンであって、訪問者が屋外から操作できるようになっているボタンと、
前記無線受信機が前記ロック解除信号を受信したとき、この無線受信機からの入力に基づいて前記閂をロック位置からロック解除位置に移動させるためのロック制御部と、
を備えたことを特徴とする遠隔操作式電子錠システム。
【請求項４】
請求項１又は２の電気錠を備えた横型テンキー式電子錠システムであって、前記閂をロック位置からロック解除位置に移動させるためのロック解除信号を入力するための複数個のキーが備えられている略箱型の入力装置であって、前記複数個のキーが、その正面ではなく、その側面又は下面に設けられた入力装置を備えている、ことを特徴とする横型テンキー式電子錠システム。
【発明の詳細な説明】
【０００１】
【発明の属する技術分野】
本発明は、電磁石を利用した電気錠、遠隔操作式電子錠システム、及び、横型テンキー式電子錠システムに関する。
【０００２】
【従来の技術】
従来より、電磁石を利用した電気錠が利用されている。この電気錠は、電磁石の吸引力と反発力とにより閂（ロッド）をロック位置とロック解除位置との間で相互に移動させるものである。また、従来は、この電気錠を使用して、ドアを閉めるとマグネットスイッチや赤外線検知器等のセンサーの電気信号で閂（ロッド）をロック位置へ動作させることで、オートロックの電子錠システムを構成していた。
【０００３】
【発明が解決しようとする課題】
しかしながら、従来の電気錠においては、前述のように、閂（ロッド）の移動が電磁石の吸引力と反発力とによるものであるため、閂の移動距離をロックの効果が出せるように十分に確保しようとすると、大型の電磁石を備える必要があり、電気錠装置全体が大型化してしまい、そのため、例えば引き戸などの窓枠（サッシ）が比較的細いドアには取り付けることができない、という問題があった。
【０００４】
また、従来より、約束していた友人が訪ねてきたときなどに、家人（ユーザー）が屋内の例えば居間からリモートコントローラ（リモコン）を使用して無線で開錠信号を送信することにより、家人が居間に居ながらにして開錠を行なうようにした遠隔操作型電子錠システムが知られている。しかしながら、従来の遠隔操作型電子錠システムは、リモコンからの無線信号を何時でも受信できるようにするべく、無線受信機を常時ＯＮにしているため、消費電力が大きくなってしまうという問題があった（なお、この消費電力の問題を軽減するために、無線受信機の受信を間欠的に行なうようにした間欠受信方式を採用する例もあるが、これによる消費電力の低減は限定的なものに止まり、また、間欠受信方式ではリモコンからの信号の受信感度が悪くなって開錠の確実性が低下してしまうという別の問題が発生していた）。
【０００５】
さらに、従来より、住宅のドアなどに、開錠のための暗証番号を入力するためのテンキーを取り付けた電子錠システムが知られている。しかしながら、従来のテンキーを取り付けた電子錠システムでは、知人・友人などの他人と一緒に帰宅したときにテンキーを操作して暗証番号を入力するとき、テンキーの操作内容（暗証番号）が隣に居る知人・友人などの他人に容易に見られてしまうという問題があった。
【０００６】
本発明はこのような従来技術の問題点に着目してなされたものであって、電磁石を小型にして装置全体を小型にしたままでも閂（ロッド）の移動ストローク（ロック位置とロック解除位置の間の距離）をロック効果を出すために十分に長く確保することができる電気錠を提供することを目的とする。
【０００７】
また、本発明は、友人や知人が来訪したときに家人が居間に居ながら遠隔操作により確実に開錠を行なうことを可能にしながら消費電力を最小に抑えることができる、電源工事不要の乾電池方式の遠隔操作式電子錠システムを提供することを目的とする。
【０００８】
さらに、本発明は、知人・友人などの他人と一緒に帰宅したときにテンキーを操作して暗証番号を入力するときでも、テンキーの操作内容（暗証番号）を隣に居る知人・友人などの他人に見られてしまうことを防止することができる横型テンキー式電子錠システムを提供することを目的とするものである。
【０００９】
【課題を解決するための手段】
このような従来技術の課題を解決するための本発明による電気錠は、電磁石と、前記電磁石により駆動され所定の力のスプリングが装着されている棒状のプランジャーと、前記電磁石と前記プランジャーとの間の位置に配置された永久磁石と、前記プランジャーと軸方向に沿って対向するように前記プランジャーの前記永久磁石と反対側の位置に備えられた閂であって前記プランジャーに装着されたスプリングよりも力が弱いスプリングが装着されている棒状の閂（ロッド）とを備えた電気錠であって、前記プランジャーは、（１）電磁石の吸引力により前記閂から離れる方向に駆動されて前記永久磁石の吸引保持領域まで移動したときは、その閂側の端部が、前記閂のプランジャー側端部と所定の距離だけ離れた位置で永久磁石に吸着保持され、（２）電磁石の反発力により前記閂方向に駆動されて前記永久磁石の吸引保持領域の外側に移動したときは、自らに装着されたスプリングにより前記閂方向に付勢されて前記閂を押しながら前記閂のプランジャーと反対側のロック用端部を前記永久磁石から遠ざかるロック位置まで移動させ、（３）前記電磁石にも前記永久磁石にも吸着されていないときは、前記永久磁石の吸引保持領域の外側の領域で、自らに装着されたスプリングにより前記閂方向に付勢されて前記閂を押しながら前記閂を前記ロック位置に保持すると共に、前記閂のロック用端部をロック解除位置に押し下げる物体又は外力の有無及び前記プランジャーと閂にそれぞれ装着されたスプリングの力により、前記閂のロック用端部の前記ロック位置と前記永久磁石に近づくロック解除位置との間の往復移動に連動して移動可能となっており、前記閂は、（１）前記プランジャーが前記電磁石又は永久磁石に吸着されたときは、前記閂に装着されたスプリングの力により、そのロック用端部が前記ロック解除位置に移動すると共に、そのプランジャー側端部が前記永久磁石の吸引保持領域の外側の位置であって前記吸着されたプランジャーの端部から所定の距離だけ離れた位置まで移動し、（２）前記プランジャーが電磁石の反発力により前記閂方向に駆動されて前記永久磁石の吸引保持領域の外側に移動したときは、そのロック用端部が、前記プランジャーに装着されたスプリングの力により前記プランジャーに押されて前記ロック位置まで移動し、（３）前記プランジャーが前記電磁石又は永久磁石に吸着されていないときは、そのロック用端部が、前記閂のロック用端部をロック解除位置に押し下げる物体又は外力の有無及び前記プランジャーと閂にそれぞれ装着されたスプリングの力により、前記ロック位置とロック解除位置との間を往復移動可能となっている、ことを特徴とするものである。
【００１０】
また、本発明の電気錠においては、さらに、前記閂が掛けられる受け部に、前記閂が前記ロック位置とロック解除位置との間を移動するときに摺動可能な摺動面を有する摺動部と、この摺動部を前記閂に近づく方向に付勢するスプリングと、を備えることが望ましい。
【００１１】
また、本発明の遠隔操作式電子錠システムは、ユーザーが屋内から無線送信するロック解除信号を受信するための無線受信機と、前記無線受信機の電源を、通常はＯＦＦのままに維持し、所定の作動開始信号が入力されたときに所定時間だけＯＮさせるための電源制御部と、前記電源制御部に前記作動開始信号を入力するためのボタンであって、訪問者が屋外から操作できるようになっているボタンと、前記無線受信機が前記ロック解除信号を受信したとき、この無線受信機からの入力に基づいて前記閂をロック位置からロック解除位置に移動させるためのロック制御部と、を備えたことを特徴とするものである。
【００１２】
また、本発明の横型テンキーを備えた電子錠システムは、前記閂をロック位置からロック解除位置に移動させるためのロック解除信号を入力するための複数個のキーが備えられている略箱型の入力装置であって、前記複数個のキーが、その正面ではなく、その側面又は下面に設けられた入力装置を備えていることを特徴とするものである。
【００１３】
【発明の実施の形態】
図１は本発明の実施形態による遠隔操作式で且つ横テンキー式の電子錠システムを説明するための外観構成図である。図１（ａ）は本実施形態が適用された窓枠の鴨居に取り付けられた部品（本実施形態の電気錠の一部）を示すものである。図１（ａ）において、１は例えばアルミ製の窓枠（サッシ）、４は前記窓枠１の鴨居の下面１ａに固定された取付金具２に対してヒンジ部（蝶番）３により図示矢印α方向に回動可能に設けられた受け部である。この受け部４と前記取付金具２との間にはスプリング５が備えられ、このスプリング５により、前記受け部４は、図示下方向（後述の閂の方向）に付勢されている。
【００１４】
また、図１（ｂ）は本実施形態が適用されたガラス戸（引き戸）の内側（屋内側）に取り付けられた部品（本実施形態の電気錠の一部）を示すものである。図１（ｂ）において、１０は、透明なガラス板１２とその外周に装着された例えばアルミ製のガラス保持枠１１とにより構成されるガラス戸（引き戸）である。また、１３は前記ガラス保持枠１１の屋内側の面に取り付けられた本実施形態の電気錠を構成するロック機構部、１４はこのロック機構部１３に含まれる閂（ロッド）であってロック機構部１３の筐体から突出可能となっている棒状の閂、１５は前記ロック機構部１３を制御するためのコントローラ（このコントローラは、前記枠１１内に挿入された配線により前記ロック機構部１３と電気的に接続されている）、１６は前記コントローラ１５にユーザー（家人）がロック解除信号（指令）を入力するための開錠ボタン、である。
【００１５】
また、図１（ｃ）は本実施形態が適用されたガラス戸（引き戸）１０の外側（屋外側）に取り付けられた部品（本実施形態の電気錠の一部）を示すものである。図１（ｃ）において、１７はガラス戸１０のガラス保持枠１１の屋外側の面に取り付けられた入力装置（キーボード（以下「テンキー」と呼ぶ））であってユーザーがロック解除信号としての暗証番号を入力するためのテンキー、１８は前記テンキー１７の筐体の側面に配設された３つの数字キーである。
【００１６】
次に、図２は本実施形態の電気的構成を示す概略ブロック図である。図２において、図１で説明した部分には同一の符号を付している。図２において、２１は前記コントローラ１５の一部を構成するマイクロコンピュータである。このマイクロコンピュータ２１は、ユーザーがテンキー１７から暗証番号を入力したとき、その入力内容を予め記録しているデータと照合して一致していればロック機構部１３にロック解除指令を送信する。
【００１７】
また、本実施形態においては、前記コントローラ１５に無線受信機２２が内蔵されている。この無線受信機２２は、予め約束した訪問者がインターホン親機２５でユーザー（家人）に来訪を告げた場合などにおいて、ユーザーが居間のインターホン子機２６で来訪者に応対し、その居間（前記ガラス戸から離れた場所）から直ちに前記ロック機構部１３を開錠させるために使用される。すなわち、ユーザーは、前記インターホン子機２６で来訪者を確認したとき、居間などに居ながらにして、リモコン２３を操作して開錠指示信号を無線送信すれば、これを前記無線受信機２２が受信して、所定の開錠指令を前記マイクロコンピュータ２１に送信するようになっている。
【００１８】
ところで、このような無線受信機２２をコントローラに内蔵したシステムは従来より知られているが、めったに来ない無線信号を受信するために無線受信機を常時ＯＮにしておかなければならず、そのため電池を利用した無線受信機としては多量の消費電力を消費してしまうため電池寿命等の観点から商品化に不向きであることが従来より問題となっていた。この問題に対処するため、無線受信機の受信を間欠的に行なう間欠受信方式を採用する例もあるが、受信感度が下がってしまうという別の問題が生じていた。
【００１９】
本実施形態では、前述のような消費電力の問題を解決するため、前記コントローラ１５の中に、無線受信機２２の電源を制御するための電源制御部２４を備えている。この電源制御部２４は、前記ガラス保持枠１１の内部に挿入された配線によりガラス保持枠１１の屋外側に設置された前記テンキー１７（訪問者が屋外から操作できるもの）と電気的に接続されている。前記電源制御部２４は、通常は前記無線受信機２２の電源をＯＦＦの状態に保ち、前記テンキー１７から所定の信号が入力された時点から所定の短い時間（例えば３秒間）だけ、前記無線受信機２２の電源をＯＮして電力を供給するようにしている。この電源がＯＮされた短い時間においては、前記無線受信機２２は高感度の連続受信方式で（間欠受信方式でなく）前記リモコン２３からの信号を受信するようになっている。
【００２０】
次に、図３を参照して本実施形態に含まれる電気錠の構成及び動作を説明する。なお図３において、図１と共通する部分には同一の符号を付している。図３（ａ）は、ガラス戸（引き戸）１０（ガラス板１２とガラス保持枠１１とにより構成される）がロックされていない状態を示すものである。この場合は、前記ロック機構部１３の閂１４は後述のスプリングにより図示上方に最大限突出させられている。また、この場合は、前記受け部４は前記スプリング５により図示下方に最大限下降している。
【００２１】
次に、図３（ｂ）は、ユーザーが、ガラス戸（引き戸）１０を、窓枠１内で図示左方向に移動させている途中の状態を示す図である。この場合は、前記ロック機構部１３の閂１４が前記受け部４の下面を摺動しながら、ガラス戸（引き戸）１０が移動していく。そのため、前記閂１４は、前記スプリング５に付勢された受け部４に押されて、所定距離だけロック機構部１３の筐体の中に下降している（本実施形態では、前記受け部４を付勢するスプリング５に、前記閂１４を図示上方に付勢するスプリングより強いものを採用している）。また、前記受け部４は、ロック機構部１３の筐体の上面に押されて、前記ヒンジ部３を支点として所定角度だけ図示上方に回動している（前記ガラス戸１０が移動するとき、前記受け部４の下端部は前記ロック機構部１３の筐体の上面を摺動するようになっている）。
【００２２】
次に、図３（ｃ）は、図３（ｂ）の状態から更にガラス戸（引き戸）１０が図示左方向に移動したときの状態を示す図である。この場合は、図３（ｂ）の状態から更に進んで、前記閂１４は、前記スプリング５に付勢された受け部１４に押されて、その全体がロック機構部１３の筐体の中に下降（埋没）している。なお、前記受け部４の回動角度は、図３（ｂ）と同様である（前記受け部４の下端部が前記ロック機構部１３の筐体の上面に当接・摺動している）。
【００２３】
次に、図３（ｄ）は、図３（ｃ）の状態から更にガラス戸（引き戸）１０が図示左方向に移動して窓枠１に接した（そして、これと同時にロックされた）ときの状態を示す図である。前記の図３（ｃ）の状態のときには前記閂１４を上方から押さえつけながらロック機構部１３の筐体の上面を摺動していた前記受け部４の下端部が、この図３（ｄ）の状態になると、前記ロック機構部１３の筐体の上面の閂１４より図示右方向に移動したため、前記閂１４が自らに装着されたスプリングの力により前記ロック機構部１３の筐体の上面から図示上方に最大限突出する。他方、前記受け部４は、その下端部前記ロック機構部１３の筐体の上面（前記閂１４より図示右側の位置）に当接した状態（前記閂１４の図示右側面に対向した状態）となっている。したがって、この図３（ｄ）の場合は、前記受け部１４と前記閂１４とにより、ガラス戸（引き戸）１０が図示右方向に移動することが阻止されるロック状態となっている（前記受け部４が前記閂１４と対向・係止されることによりストッパの役目を果たすようになっている）。
【００２４】
次に、本実施形態において、図３（ｄ）のロック状態からロック状態を解除する場合の動作について説明する。今、ユーザーが屋外側のテンキーから暗証番号を入力した場合（又は、ユーザーが屋内側のコントローラ１５の開錠ボタン１６を操作した場合、あるいは、ユーザーが居間からリモコン２３で開錠指令信号を送信してそれがコントローラ１５の無線受信機２２に受信された場合）は、コントローラ１５のマイクロコンピュータ２１からの指令により、ロック機構部１３内の電磁石がＯＮされて（詳細は図４に関連して後述する）、前記閂１４の全体がロック機構部１３の筐体の中に挿入・埋没させられる（前記閂１４と受け部４との相互の位置関係は、少なくともその外観だけは図３（ｃ）に示すものと同じになる）。その結果、「前記閂１４と受け部４とが係止された状態」（図３（ｄ）に示す状態）が解除されて、前記ガラス戸（引き戸）１０が図示右方向に移動することが可能になる。この状態から、さらにユーザーが前記ガラス戸（引き戸）１０を図示右方向に移動させていくと、前記閂１４と受け部４との相互の位置関係は、図３（ｃ）から図３（ｂ）に示す状態に移行し、さらに図３（ａ）に示す状態に移行する。
【００２５】
次に、図４を参照して本実施形態に含まれる電気錠のプランジャー、閂（ロッド）、電磁石、及び永久磁石の構成及び動作を説明する。図４において、３０は例えば金属製の支持部、３１はこの支持部３０の図示下方に固定された電磁石、３２は前記電磁石３１の上方で前記支持部３０に固定された永久磁石、３３は前記電磁石３１の吸引力及び反発力で図示上下方向に所定距離だけ駆動されるようになっているプランジャー、である。また、３４は、プランジャー３３の上端部に固定されたリング状金具３３ａと永久磁石３２との間に装着されたスプリングであって、前記プランジャー３３を図示上方に付勢するためのスプリング、である。
【００２６】
また、図４において、１４は前記プランジャー３３の図示上方に対向するように（軸方向が並行となるように）配置された閂（ロッド）である。前記閂１４は、前記支持部３０から図示水平方向に延びる２つの支持板３０ａ，３０ｂの中央穴（図示せず）の中に図示上下方向に移動自在に挿入されている。また、図４において、１４ｃは前記閂１４のほぼ中央部に固定されたリング状金具、３５は前記リング状金具１４ｃと前記支持板３０ｂとの間に装着されたスプリングであって、前記閂１４を図示下方に付勢するためのスプリング、である。本実施形態では、前記閂１４を図示下方に付勢するスプリング３５は、前記プランジャー３３を図示上方に付勢するスプリング３４よりも力の弱いものを使用している。
【００２７】
次に、本実施形態の電気錠のプランジャー、閂（ロッド）、電磁石、及び永久磁石の動作を説明する。図４（ａ）は、前述した図３（ａ）の場合におけるプランジャーと閂（ロッド）の状態を示している。この場合は、前記プランジャー３３は、前記電磁石３１にも前記永久磁石３２にも吸着されていないので、前記永久磁石３２の吸引保持領域の外側の領域で、自らに装着されたスプリング３４により前記閂１４の方向に付勢されて前記閂１４を図示上方に押しながら前記閂１４の上端部（ロック用端部）１４ａをロック位置に保持する。
【００２８】
また、この前記プランジャー３３が前記電磁石３１にも前記永久磁石３２にも吸着されていない場合は、前記閂１４の上端部１４ａに「前記プランジャー３３に装着されたスプリング３４の力から前記閂１４に装着されたスプリング３５の力を引いた力」よりも強い外力（又は物体）が加わったり前記外力が解除されたりすることにより、前記閂１４の上端部１４ａは、前記ロック位置とロック解除位置との間を往復移動可能となっている（なお、前記の「ロック解除位置」とは、前記閂１４の上端部１４ａが、図３（ｃ）で説明した前記ロック機構部１３の筐体の上面より下側まで下降した位置、すなわち、図４（ａ）の支持板３０ｂの上面より下側まで下降した位置、である）。また、この場合、前記プランジャー３３は、前記閂１４の上端部１４ａの前記ロック位置とロック解除位置との間の距離の往復移動に連動して同じ距離だけ移動可能となっている。
【００２９】
次に、図４（ｂ）と図４（ｃ）は前記受け部１４により前記の「外力（又は物体）」が前記閂１４の上端部１４ａに加えられた場合を示すものである。図４（ｂ）は前記図３（ｂ）の状態におけるプランジャーと閂（ロッド）の動作を示し、図４（ｃ）は前記図３（ｃ）の状態におけるプランジャーと閂（ロッド）の動作を示している。図３（ｂ）（ｃ）で前述したように、ガラス戸（引き戸）１０と共にロック機構部１３が図示左方向に移動していく過程においては、受け部４の存在により閂１４が図示上方から下方に徐々に押し下げられるため、閂１４の上端部１４ａは、徐々に下降して行き（図３（ｂ）及び図４（ｂ）参照）、最後にはロック解除位置（ロック機構部１３の筐体の上面の位置）まで下降する（図３（ｃ）及び図４（ｃ）参照）。その後、さらにガラス戸（引き戸）１０と共にロック機構部１３が図示左方向に移動していくと、前記受け部４の下端部が前記閂１４から外れて、前記閂１４のロック用端部１４ａが元のロック位置までスプリングにより復帰し、前記受け部４に前記閂１４が係止（ロック）された状態となる（図３（ｄ）及び図４（ａ）に示す状態）。
【００３０】
次に、図４（ｄ）は、この図３（ｄ）及び図４（ａ）に示すような前記閂１４の上端部１４ａがロック位置にある状態から、前記上端部１４ａをロック解除位置に移動させてロックを解除する場合の動作を示すものである。この場合は、まず、前記コントローラ１５からの制御信号により、前記電磁石３１がＯＮされて前記プランジャー３３を図示下方に吸引する。本実施形態では、前記電磁石３１は予め決められた所定の短時間（例えば０．１秒間）だけＯＮされて（吸引力を発揮して）その後はＯＦＦされるが、前記プランジャー３３が前記電磁石３１に吸引されて下降して、前記プランジャー３３が前記永久磁石３２の吸引保持領域（磁力が及ぶ領域）に入り込んだ結果、前記プランジャー３３はその位置で前記永久磁石３２に吸引保持（ラッチ）される。つまり、前記電磁石３１が予め決められた所定の短時間（例えば１秒間）だけＯＮされて（吸引力を発揮して）その後はＯＦＦされても、前記プランジャー３３はその位置のまま、前記永久磁石３２に吸引保持（ラッチ）される。なお、前記の電磁石３１の制御は前記マイクロコンピュータ２１のメモリに予め記録されたプログラムにより実行される。
【００３１】
また、本実施形態では、この前記プランジャー３３が前記電磁石３１に吸引されて前記永久磁石３２の吸引保持領域でラッチされた場合においては、前記プランジャー３３の上端部（前記リング状金具３３ａ）と前記閂１４の下端部１４ｂとは、図４（ｄ）のＬで示す距離だけ互いに離れて位置するようになっている。
【００３２】
次に、本実施形態において、図４（ｄ）のロック解除の状態（閂１４の上端部１４ａがロック解除位置にある状態）から、図４（ａ）のロック可能な状態（閂１４の上端部１４ａがロック位置にある状態）に移行する場合の動作について説明する。
【００３３】
本実施形態では、前述のように、閂１４の上端部１４ａがロック位置にある状態（図３（ｄ）及び図４（ａ）に示す状態）から、電磁石３１が吸引側にＯＮされると、その吸引力により前記プランジャー３３が吸引されて前記閂１４の上端部１４ａがロック解除位置に移動する（図４（ｄ）に示す状態）。そして、本実施形態では、前記電磁石３１は、前記の電源ＯＮされてその吸引力を発揮した時点から例えば０．１秒後にＯＦＦされる（それ以後は、前記プランジャー３３は前記永久磁石３２によりラッチされるので、前記閂１４の上端部１４ａもロック解除位置のまま保持される）。そして、本実施形態では、さらにその後、例えば前記ＯＦＦにされてから３秒後に、前記電磁石３１を、その極性を逆にして所定時間（例えば０．１秒間）だけＯＮにして、前記プランジャー３３をその電磁石３１の反発力により図示上方に飛び出させる（吐き出す）ようにしている（この制御は、前記マイクロコンピュータ２１のメモリに予め記録されたプログラムにより実行される）。
【００３４】
その結果、前記プランジャー３３のスプリング３４により前記閂１４が図示上方に押されて、前記閂１４の上端部１４ａがロック位置まで上昇する。この状態になると、前記プランジャー３３は前記永久磁石３２の吸引保持領域の外側に位置しているので、前記プランジャー３３と前記閂１４は、双方のスプリング３４，３５により、ロック位置とロック解除位置との間の距離（図４（ａ）のＭ参照）だけ、ロック位置とロック解除位置との相互間を、図示上方向又は下方向に移動可能となっている。
【００３５】
次に、本実施形態において、前記の電磁石３１、永久磁石３２、プランジャー３３、及び閂１４の動作について、更に図５を参照して説明する。まず、本実施形態において電磁石の吸引力によりプランジャーが吸引されたときの動作を、図５の上段の「吸引したときのプランジャー及び閂の静止位置」を示す図を参照して説明する。前述のように、前記プランジャーに装着されるスプリングは、前記プランジャーを図示上方に付勢している。また、前記閂に装着されるスプリングは、前記閂を図示下方に付勢している。そして、前述のように、前記プランジャーに装着されるスプリングは、前記閂に装着されるスプリングよりも力の強いものを採用している。したがって、前記電磁石が前記プランジャーを吸引する力Ｆ４は、「前記プランジャーに装着されるスプリングの力Ｆ１から、前記閂に装着されるスプリングの力Ｆ２を引いた力Ｆ３」よりも強いものであることが必要である。この電磁石の吸引力Ｆ４で前記プランジャーが吸引されたときは、前記閂はそれに装着されたスプリングにより図示下方に付勢されるので、ロック解除位置（図５のＬの位置）に保持される。
【００３６】
次に、本実施形態において電磁石の反発力により前記プランジャーが吐き出されたときの動作を、図５の下段の「吐き出したときのプランジャー及び閂の静止位置」を示す図を参照して説明する。この場合は、前述のように、プランジャーに装着されるスプリングの力の方が、閂に装着されるスプリングの力よりも強いので、閂はプランジャーに押されて上昇し、ロック位置（図５のＨの位置）に保持される。また、この場合は、前記プランジャーは前記永久磁石の吸引保持領域の外側に在るので、前記プランジャーと閂は、それぞれに装着されたスプリングのＦ３の力により、また、前記閂をその上方から下方に押し下げる外力又は物体の有無により、図５のＨの位置（ロック位置）とＬの位置（ロック解除位置）との間を相互に往復移動可能となっている。
【００３７】
次に、図５ｂは、本実施形態における前記の電磁石３１、永久磁石３２、プランジャー３３、及び閂１４の動作をさらに説明するための図である。この図５ｂに示すように、本実施形態においては、閂とプランジャーとの分離させたことにより次のような特徴が得られる。
（１）閂への衝撃はプランジャーには伝わらないので、ソレノイド（電磁石）を衝撃から保護できる。
（２）図のＳ間隔程分離させていることにより、Ｆ５の外部の力でプランジャーが動作したとき磁石の吸着保持領域に到達しないようにした。このことによりプランジャーの動作ストロークを閂側でも得られるので、プランジャーのストロークＤで，ラッチ（Ｆ３バネによるスプリング）機能を保有する、ソレノイド（電磁石）が形成される。
また、図５ｂに示すように、本実施形態では、閂が図のＬ位置を軸受けから出ない構造としたことにより、ロック機構が軸受けの上面をスライドさせる機構を採用するとき、本件のようなストロークの小さい（５ｍｍ程度）のソレノイド（電磁石）であっても、上下にはブレないので水平の外部力に対して安定強度が得られ、鍵等のロック機構に活用範囲が広まるという特徴がある。
【００３８】
以上、本発明の一実施形態について説明してきたが、本発明はこれに限られるものではなく様々な変更が可能である。例えば、前記の実施形態では、ユーザーが窓枠内で左右方向に移動させる引き戸タイプのガラス戸１０のロックのために本発明を適用した例を示したが、本発明は引き戸タイプ以外のドア（開き戸）についても適用できることは勿論である。
【００３９】
【発明の効果】
本発明の電気錠においては、前述のように、電磁石により駆動されるプランジャーと別に、このプランジャーと軸方向で対向しておりこのプランジャーと連動して移動可能な閂（受け部に対向・係止される部分）を備えるようにしている。すなわち、本発明では、電磁石により直接駆動されるプランジャーと受け部に対向・係止される閂とを、互いに分離させるようにしている。したがって、本発明のような閂と分離された比較的短いプランジャーを電磁石で駆動する場合は、従来のようにプランジャーと閂とを一体にした長い棒状のロッドを電磁石で駆動する場合と比較して、前記プランジャーを駆動するための電磁石として「比較的力の弱い小型の電磁石」を採用することが可能になる。また、本発明においては、閂（ロッド）がロック位置であっても戸やドアーを閉めるときのストッパー等（受け部）の外部の力で自由に動くラッチ機構を有しているので、マグネットや赤外線センサーが無くても機械的にオートロックすることが可能となり、（マグネットや赤外線センサーを省略して）電気錠の装置全体の簡素化及びコンパクト化が図れるようになる。
よって、本発明によれば、閂（ロッド）の移動距離（動作ストローク）をロック効果を出すために十分に長く確保しつつ、電磁石のサイズを小型・軽量にすることができ、また、閂（ロッド）のラッチ機構を利用することで戸やドアーのセンサーを省略化して機械的なオートロック機構を構成することができるので、電気錠の装置全体を小型化・軽量化することができるようになる。
また、本発明によれば、閂への衝撃はプランジャーには伝わらないので、ソレノイド（電磁石）を衝撃から保護できるようになる。
【００４０】
また、本発明の電気錠において、更に、ロック時に閂が対向される受け部にスプリングを備えて、受け部が前記閂の方向に付勢されるようにしたときは、前記閂の受け部方向への突出距離（移動距離＝動作ストローク）を実質的に増大させることができ、より大きなロック効果を確保できるようになる。
【００４１】
また、本発明の遠隔操作式電子錠システムにおいては、リモコンからの無線信号を受信する無線受信機を常時はＯＦＦのまま維持して訪問者の戸外からの入力（ドアホンを通じて、ユーザーが、訪問者に、数個のキーのいずれかのスイッチを押すように案内することもできる）により所定時間だけＯＮするようにしているので、友人や知人が来訪したときに家人が居間などに居ながら遠隔操作により確実に開錠を行なうことを可能にしながら電池利用の装置として消費電力を最小に抑えることができるようになる。
【００４２】
さらに、本発明の横型テンキー式電子錠システムにおいては、暗証番号を入力するためのテンキーを入力装置の側面又は下面（ユーザーや他人と対向しない面）に備えるようにしたので、知人・友人などの他人と一緒に帰宅したときにテンキーを操作して暗証番号を入力するときでも、テンキーの操作内容（暗証番号）を隣に居る他人に見られてしまうことを確実に防止できるようになる。
【図面の簡単な説明】
【図１】本発明の一実施形態による電子錠システムを示す外観構成図。
【図２】本実施形態の電気的構成を示す概略ブロック図。
【図３】本実施形態に含まれる電気錠の構成及び動作を説明するための図。
【図４】本実施形態に含まれる電気錠の電磁石、永久磁石、プランジャー、及び閂（ロッド）の動作を説明するための図。
【図５ａ】本実施形態に含まれる電気錠の電磁石、永久磁石、プランジャー、及び閂（ロッド）の動作を説明するための図。
【図５ｂ】本実施形態に含まれる電気錠の電磁石、永久磁石、プランジャー、及び閂（ロッド）の動作を説明するための図。
【符号の説明】
１　窓枠
２　取付金具
３　ヒンジ部
４　受け部
５，３４，３５　スプリング
１０　ガラス戸（引き戸）
１１　ガラス保持枠
１２　ガラス板
１３　ロック機構部
１４　閂（ロッド）
１４ａ　上端部（ロック用端部）
１４ｂ　下端部（プランジャー側端部）
１４ｃ，３３ａ　リング状金具
１５　コントローラ
１６　開錠ボタン
１７　テンキー
２１　マイクロコンピュータ
２２　無線受信機
２３　リモコン
２４　電源制御部
２５　インターホン親機
２６　インターホン子機
３０　支持部
３０ａ，３０ｂ　支持板
３１　電磁石
３２　永久磁石
３３　プランジャー
【図１】
2004068528.tif 000003
【図２】
2004068528.tif 000004
【図３】
2004068528.tif 000005
【図４】
2004068528.tif 000006
【図５ａ】
2004068528.tif 000007
【図５ｂ】
2004068528.tif 000008